(57)【特許請求の範囲】
【請求項１】
外郭を構成する加熱調理器本体の上部に設けられ、略長方形に形成された天板と、上記天板の後方に設けられた後方フレームと、上記後方フレームにおいて、上記天板の長手方向に沿って形成され、少なくとも１つ設けられた開口部を有する帯状の溝部と、上記溝部の両端部において、凹形状に形成された凹部と、上記溝部に配置され、上記開口部を覆うカバーとを有するトッププレートユニットを備え、
上記トッププレートユニットは、上記天板の前方の端縁を覆う前方フレームと、上記天板の両側方の端縁を覆う側方フレームと、上記後方フレームの両側面を覆い、凹部を有するサイドキャップとを、さらに備え、
上記サイドキャップと上記後方フレームとが、上記サイドキャップの側面と上記側方フレームの側面とが略一致するように配置され、
上記サイドキャップの凹部の上面と上記カバーの下面との間に間隙が形成されている、加熱調理器。
【請求項２】
上記天板の長手方向に対して直交する方向における上記溝部の幅に対して、上記幅における中央付近に、上記凹部が配置されている、請求項１に記載の加熱調理器。
【請求項３】
外郭を構成する加熱調理器本体の上部に設けられ、略長方形に形成された天板と、上記天板の後方に設けられた後方フレームと、上記後方フレームにおいて、上記天板の長手方向に沿って形成され、少なくとも１つ設けられた開口部を有する帯状の溝部と、上記溝部の両端部において、凹形状に形成された凹部と、上記溝部に配置され、上記開口部を覆うカバーとを有するトッププレートユニットを備え、
上記開口部は吸気用開口部と排気用開口部とから構成されており、上記吸気用開口部と上記排気用開口部との間に配置され、その上面に突起部を設けられた中央部防振部材と、
上記溝部の両端部の付近に配置される両端部防振部材とを、さらに備え、
上記カバーは、上記吸気用開口部と上記排気用開口部との上方を覆うように、上記吸気用カバーと上記排気用カバーとから構成されて、上記中央部防振部材の上面及び上記両端部防振部材の上面に配置され、
上記中央部防振部材の上面に設けられた上記突起部が、上記吸気用カバーと上記排気用カバーとの間に配置された、加熱調理器。
【請求項４】
上記中央部防振部材の上面に設けられた上記突起部の中央付近に凹形状が形成されている、請求項３に記載の加熱調理器。
【発明の詳細な説明】
【技術分野】
【０００１】
本発明は、加熱調理器に関し、より特定的には、調理容器を載置するトッププレートユニットに設けられるグリルの排気口又は加熱調理器内部の冷却のための吸排気口などの周辺に構成されるカバーを備える加熱調理器に関する。
【背景技術】
【０００２】
近年、火を使わない加熱調理器として誘導加熱調理器が広く普及している。この誘導加熱調理器は、調理容器を載置するトッププレートユニットの下方に設けられた加熱コイルにより調理容器を誘導加熱する。
【０００３】
また、誘導加熱調理器には、その内部にインバータ回路が設けられ、機種によってはグリルが備えられている。さらに、調理容器を載置するトッププレートユニットに、インバータ回路などの発熱部品を冷却するための吸排気口及びグリルと連通する排煙のための排気口が設けられている。また一方で、このような誘導加熱調理器以外で、ハロゲンランプ、ラジエントヒータ、又はガスを用いる調理器においても、上面に吸気口又は排気口を有するトッププレートユニットを備えた加熱調理器がある。
【０００４】
このような排気口を有する誘導加熱調理器は、グリル内又は加熱調理器内部に調理道具などの落下を防止するために、例えば格子状のグリル排気口カバーがグリルの排気口を覆うように配置されている。これにより、調理を行った際にグリルで発生するにおい及び冷却風等を排気口に通して加熱調理器の外部に排出することができる（例えば、特許文献１参照）。
【特許文献１】特開２００５−３８７３９号公報
【発明の開示】
【発明が解決しようとする課題】
【０００５】
上記特許文献１に開示されている誘導加熱調理器によれば、トッププレートの排気口の周辺を凹形状にして、この凹形状部分に排気口カバーを配置させて、排気口カバーの上面とトッププレートの上面と一致するように配置されている。しかしながら、このような排気口カバーを取り外す際に、排気口の周辺に構成される凹形状で形成された凹部に指を入れて、排気口カバーを持ち上げる構造が採用されているので、カバー取り外し用に構成された上記凹部に付着した汚れや零れ落ちた煮汁等を拭き取る作業の際に、排気口周辺の形状が凸凹のために、拭き取る作業が不便である。また、美観が低下するという不都合がある。
【０００６】
本発明は、従来技術を有するこのような問題点に鑑みてなされたものであり、トッププレートユニットにおけるグリルの排気口又は加熱調理器内部の冷却のための吸排気口などの周辺の美観を保ちながら、容易に取り外し可能なカバーを備える使い勝手の良い加熱調理器を提供することを目的とする。
【課題を解決するための手段】
【０００７】
上記目的を達成するために、本発明は以下のように構成する。
【０００８】
本発明の第１態様によれば、外郭を構成する加熱調理器本体の上部に設けられ、略長方形に形成された天板と、上記天板の後方に設けられた後方フレームと、上記後方フレームにおいて、上記天板の長手方向に沿って形成され、少なくとも１つ設けられた開口部を有する帯状の溝部と、上記溝部の両端部において、凹形状に形成された凹部と、上記溝部に
配置され、上記開口部を覆うカバーとを有するトッププレートユニットを備え、上記トッププレートユニットは、上記天板の前方の端縁を覆う前方フレームと、上記天板の両側方の端縁を覆う側方フレームと、上記後方フレームの両側面を覆い、凹部を有するサイドキャップとを、さらに備え、上記サイドキャップと上記後方フレームとが、上記サイドキャップの側面と上記側方フレームの側面とが略一致するように配置され、上記サイドキャップの凹部の上面と上記カバーの下面との間に間隙が形成されている、加熱調理器を提供する。
【０００９】
本発明の第２態様によれば、上記天板の長手方向に対して直交する方向における上記溝部の幅に対して、上記幅における中央付近に、上記凹部が配置されている、第１態様に記載の加熱調理器を提供する。
【００１１】
本発明の第３態様によれば、外郭を構成する加熱調理器本体の上部に設けられ、略長方形に形成された天板と、上記天板の後方に設けられた後方フレームと、上記後方フレームにおいて、上記天板の長手方向に沿って形成され、少なくとも１つ設けられた開口部を有する帯状の溝部と、上記溝部の両端部において、凹形状に形成された凹部と、上記溝部に配置され、上記開口部を覆うカバーとを有するトッププレートユニットを備え、上記開口部は吸気用開口部と排気用開口部とから構成されており、上記吸気用開口部と上記排気用開口部との間に配置され、その上面に突起部を設けられた中央部防振部材と、上記溝部の両端部の付近に配置される両端部防振部材とを、さらに備え、上記カバーは、上記吸気用開口部と上記排気用開口部との上方を覆うように、上記吸気用カバーと上記排気用カバーとから構成されて、上記中央部防振部材の上面及び上記両端部防振部材の上面に配置され、上記中央部防振部材の上面に設けられた上記突起部が、上記吸気用カバーと上記排気用カバーとの間に配置された、加熱調理器を提供する。
【００１２】
本発明の第４態様によれば、上記中央部防振部材の上面に設けられた上記突起部の中央付近に凹形状が形成されている、第３態様に記載の加熱調理器を提供する。
【発明の効果】
【００１３】
本発明によれば、加熱調理器は、外郭を構成する加熱調理器本体の上部に設けられ、略長方形に形成された天板と、天板の後方に設けられた後方フレームと、後方フレームにおいて、天板の長手方向に沿って形成され、少なくとも１つ設けられた開口部を有する帯状の溝部と、溝部の両端部において、凹形状に形成された凹部と、溝部に配置され、開口部を覆うカバーとを有するトッププレートユニットを備える構造が採用されているので、後方フレームの溝部の両側面において、凹部の上面とカバーの下面との間に間隙を形成することができる。その結果、美観を保ちながら、容易にトッププレートユニットから取りはずことができる。
【発明を実施するための最良の形態】
【００１４】
以下に、本発明に係る実施形態を、図面を参照しながら説明する。
【００１５】
図１は、本実施形態に係る誘導加熱調理器Ｃの外観斜視図である。本実施形態に係る誘導加熱調理器Ｃは、図１に示されるように、外郭を構成する本体ケース１と、出没式前面操作部２、グリル扉３，本体ケース１の上部に取り付けられ鍋等の調理容器が載置される天板４を有するトッププレートユニット１１と、天板４の下方に設けられ高周波磁界を発生させる略円盤状の加熱コイル（図示せず）と、天板４の後方に配置される右カバー１２ａ及び左カバー１２ｂとを備えている。
【００１６】
トッププレートユニット１１は、調理容器が載置される天板４と、天板４の前方の端縁に沿って取り付けられた前方フレーム８と、天板４の両側方の端縁に沿って取り付けられた側方フレーム９と、天板４の後方の端縁に沿って取り付けられた後方フレーム１０とを備えている。なお、右カバー１２ａ、左カバー１２ｂを含むトッププレートユニット１１の後方部分の詳細については、後述する。
【００１７】
出没式前面操作部２は、カンガルー式のもので図１において収納された状態を示している。図１の状態で、出没式前面操作部２のパネルの上方を押すことにより手前に回転して複数の操作キーが配設された操作面（図示せず）が現れる。グリル扉３は、機器内部に収納された生魚などを入れて焼くためのグリル（図示せず）開閉用の扉である。
【００１８】
図１の誘導加熱調理器Ｃにおいて、手前右側に設けられた加熱部５ａと手前左側に設けられた加熱部５ｂは、高周波磁界を発生して調理容器の底面を誘導加熱する誘導加熱式のものであり、中央奥側に設けられた加熱部５ｃは、発熱体を発熱させて輻射熱で加熱するラジエントヒータである。
【００１９】
天板４は、光を透過する非磁性体で結晶化セラミック等の絶縁体を材料として板状に、で形成されている。天板４の平面形状は、略長方形となっている。また、天板４には、その裏面又は表面に加熱コイル上面に対応して対向した円形状の領域が表示されるように印刷され、調理容器を載置する範囲が表示された加熱部５ａ、５ｂ、５ｃが設けられている。また、天板４は、誘導加熱調理器Ｃの出没式前面操作部２側に上面操作部領域４ａ（斜線部）を備える。
【００２０】
また、天板４は、図１に示すように、上面操作部領域４ａと調理容器を載置して誘導加熱する加熱領域４ｂとに区分されている。天板４における上面操作部領域４ａは、加熱部５ａ、５ｂのそれぞれに対応する右側上面操作部６ａ、左側上面操作部６ｂを有している。上面操作部領域４ａは、天板４裏面に帯状の黒色の印刷膜で構成され、後述する発光部２３が消灯すると、右側上面操作部６ａ及び左側上面操作部６ｂが見えにくくなるようになっている。また、加熱領域４ｂは、天板４裏面に帯状の銀色又は上面操作部領域４ａを構成する色より明るい印刷膜で構成されている。また、加熱領域４ｂにおける天板４の上面には、ドット印刷が施されていてもよい（図３及び図４参照）。
【００２１】
上面操作部領域４ａは、天板４の前方の端部まで延長されて形成されていてもよい。これにより、上面操作部領域４ａは、天板４の前方の端部まで延長されているので、上面操作部領域４ａの印刷による天板４の前方の境界線が無くなる。その結果、上面操作部領域４ａが天板４の前方の端部まで延長されていない場合に生じる上面操作部領域４ａの端部と前方フレーム８の端部との平行を確保するため印刷のずれがないように管理する必要が無くなり製造が行ないやすくなる。
【００２２】
図１に示すように、右側上面操作部６ａには、切／スタートキー７ａ、メニューキー７ｂ、加熱出力アップキー７ｃ、加熱出力ダウンキー７ｄ、タイマーアップキー７ｅ、タイマーダウンキー７ｆ、メニュー表示部７ｇ及び加熱出力表示部７ｈが配置されている。以下、右側上面操作部６ａに構成されるキーの全てを総称して上面操作キー（７ａ〜７ｆ）という。
【００２３】
ここで、図１に示される上面操作部領域４ａの右側上面操作部６ａの模式断面図を図２に示す。図２に示すように、右側上面操作部６ａに配置される上面操作キー（７ａ〜７ｆ）のそれぞれは、天板４裏面に電極を有する静電式タッチキーで構成されている。また、左側上面操作部６ｂにも、右側上面操作部６ａと同様の上面操作キー（７ａ〜７ｆ）及び各種表示部（７ｇ及び７ｈ）が配置されている。なお、右側上面操作部６ａと左側上面操作部６ｂは、構成部品等は同様であるので、以下、右側上面操作部６ａを用いて説明する。
【００２４】
右側上面操作部６ａにおいて、図２に示される上面操作キー（７ａ〜７ｆ）を構成する静電式タッチキーのそれぞれは、図柄表示部２１と、導電膜２２と、発光部２３と、接点端子２４とを備える。図柄表示部２１には、図２に示されるように、操作キーの機能を示す文字又は図形などが形成され、光を透過する。図柄表示部２１に形成される文字又は図形などは、その文字や図形を縁取りした形態を有している。導電膜２２は、静電式タッチキーが操作されると、接点端子２４を介して通電して、信号が制御部（図示せず）に伝送される。発光部２３は、光源を有し、静電式タッチキーの電極の下方に配置されている。発光部２３は、静電式タッチキーの電極の下方から図柄表示部２１に向かって光を照射する。これにより、上面操作部領域４ａにおいて、右側上面操作部６ａに構成される各上面操作キー（７ａ〜７ｆ）が点灯される。
【００２５】
次に、右側上面操作部６ａの操作による誘導加熱調理器Ｃの動作について説明する。食材を調理容器(図示せず)に入れて本実施形態に係る誘導加熱調理器Ｃで調理するに際し、調理容器を、加熱部５ａ、５ｂ又は５ｃに載置して誘導加熱調理器Ｃの電源スイッチ２ａを投入する。
【００２６】
出没式前面操作部２に設けられた電源スイッチ２ａをオンにすると、メニュー表示部７ｇが点灯表示（表示内容図示せず）される。次に、メニューキー７ｂを操作する（例えば、押す）たびに、メニュー表示部７ｇにおいて、加熱モード（例えば、「加熱」、「揚げ物」、「炊飯」など）がローテーションして表示される。
【００２７】
加熱モードのいずれかが選択された場合に、切／スタートキー７ａが点灯する。切／スタートキー７ａが操作されると、メニュー表示部７ｇに表示された加熱モードの誘導加熱の動作が開始されとともに、関連する上面操作キー（７ａ〜７ｆ）及び加熱出力表示部７ｈが、上述した発光部２３より光が照射されて点灯表示される。また一方、制御手段(図示せず)がインバータ電源(図示せず)を介して加熱コイルに高周波電流を供給する。加熱コイルに高周波電流が供給されると、加熱コイルは交流磁界を発生し、調理容器は誘導加熱されることによって温度が上昇する。その後、誘導加熱の動作中に切／スタートキー７ａが操作されると、関連する上面操作キー（７ａ〜７ｆ）及び加熱出力表示部７ｈは消灯され、メニュー表示部７ｇのみが点灯表示されて、誘導加熱の動作が終了する。続いて、出没式前面操作部２に設けられた電源スイッチ２ａをオフにすると、メニュー表示部７ｇが消灯される。なお、図１に示される上面操作部領域４ａは、右側上面操作部６ａと左側上面操作部６ｂの両方が点灯表示された状態であり、加熱部５ａ及び５ｂで誘導加熱されている状態である。
【００２８】
このように構成された誘導加熱調理器Ｃは、静電式タッチキーの電極の下方から光を照射して抜き文字を発光させる光源と、天板４において、天板４の裏面に光源が消灯していると抜き文字が見え難くなるような印刷膜が帯状に配置された上面操作部領域４ａと、上面操作部領域４ａに配置された印刷膜と別の印刷膜が帯状に印刷された加熱コイルにより誘導加熱することができる領域を含む加熱領域４ｂとを備える構造が採用されているので、必要な静電式タッチキーのみを点灯して表示して、使用者がどの静電式タッチキーを操作できるのかが明確になり、操作性を向上させることができる。
【００２９】
また、上面操作部領域４ａは、全ての静電式タッチキーをその領域内に有し、かつ、天板４の長手方向に対して直交する両側端まで延長されて形成されているので、上面操作部領域４ａと加熱領域４ｂとを、天板４の側方の端縁を結ぶ直線を境界線として視覚的に前後に完全に分離することができる。その結果、上面操作部領域４ａの右側上面操作部６ａ及び左側上面操作部６ｂを強調して、鍋や濡れた布巾を静電式タッチキーの電極の側方から近づけないようにすることができ、誤動作などを防止することができる。
【００３０】
また、出没式前面操作部２には、出没式のメンブレインスイッチにより複数の操作キーが構成され、出没式前面操作部２は、中央奥側に設けられた加熱部５ｃのラジエントヒータ（図示せず）の出力及びグリルの出力を制御する。
【００３１】
ここで、本実施形態の変形例であるトッププレートユニット１１、右カバー１２ａ及び左カバー１２ｂの模式平面図を図３及び図４に示す。なお、図３及び図４に示すトッププレートユニット１１、右カバー１２ａ及び左カバー１２ｂの構造自体は、図１に示すトッププレートユニット１１、右カバー１２ａ及び左カバー１２ｂと同じ構造であるため、同じ構成部材には同じ参照符号を付してその説明を省略する。
【００３２】
図４に示すように、加熱領域４ｂにおいて、天板４上面にドット印刷が施されており、上面操作部領域４ａにおける右側上面操作部６ａと左側上面操作部６ｂの両方が配置されていない領域にも天板４上面にドット印刷が施されていてもよい。これにより、上面操作部領域４ａにおいて、電源スイッチ２ａがオンされる前でも、右側上面操作部６ａと左側上面操作部６ｂの両方が配置されている領域を認識することができる。
【００３３】
また、図５に示すように、上面操作部領域４ａが天板４の前方の端縁に取り付けられた前方フレーム８に達してなくてもよい。これにより、上面操作部領域４ａをより的確に認識することができる。
【００３４】
次に、図１及び図５〜図８を参照して、本実施形態に係る誘導加熱調理器Ｃを構成するトッププレートユニット１１の後方部分の構造について説明する。
【００３５】
図１に示すように、誘導加熱調理器Ｃの本体外郭は、鋼板により形成され、その上面に開口部（図示せず）を有する箱状の本体ケース１と、本体ケース１の開口部を覆うように、上記開口部の周囲に設けられた本体ケース１のフランジ部（図示せず）に載置され取り付けられるトッププレートユニット１１とで構成されている。
【００３６】
ここで、本実施形態に係る誘導加熱調理器Ｃのトッププレートユニット１１の後方部分の外観分解図を図５に示す。図５において、誘導加熱調理器Ｃは、上述したように、本体ケース１、調理容器が載置されるトッププレートユニット１１、天板４の後方（天板４における上面操作部領域４ａの反対側）に配設される右カバー１２ａ及び左カバー１２ｂを備える。
【００３７】
トッププレートユニット１１は、調理容器が載置される天板４と、天板４の前方の端縁に沿って取り付けられた金属製の前方フレーム８と、天板４の両側方の端縁に沿って取り付けられた金属製の側方フレーム９と、天板４の後方の端縁に沿って取り付けられた後方フレーム１０とを備えている。
【００３８】
右カバー１２ａ及び左カバー１２ｂは、例えばアルミニウムダイキャストで形成され、複数の吸気穴を有する格子形状で形成されている。また、右カバー１２ａ及び左カバー１２ｂは、天板４の後方に構成される後方フレーム１０上に左右に並んで載置されている。
【００３９】
また、右カバー１２ａ及び左カバー１２ｂは、その断面が凸形状の突起部が右カバー１２ａ及び左カバー１２ｂの長手方向に対して平行に複数形成されていてもよい。また、右カバー１２ａ及び左カバー１２ｂは、一体的に形成されていてもよい。
【００４０】
後方フレーム１０は、図５に示すように、例えば金属製で形成され、帯状の凹形状の溝部１３が形成されている。また、溝部１３には、グリルからの煙の排気口であるグリル排気口１４ａ、機器内部の冷却風の排気口である排気口１４ｂ、及び冷却風の吸気口である吸気口１５が設けられている。また、図５に示すように、後方フレーム１０の溝部１３上方には、グリル排気口１４ａ及び排気口１４ｂを覆う左カバー１２ｂと、吸気口１５を覆う右カバー１２ａとが着脱自在に載置される。
【００４１】
このように配置された右カバー１２ａ及び左カバー１２ｂは、グリル排気口１４ａ、排気口１４ｂ又は吸気口１５への異物等の落下の防止をするとともに、それらの開口部を覆うことで美観を損なわないようにしながら、グリル扉３の内側のグリルで発生する煙やにおい等を外部に排気させる。
【００４２】
図５に示すように、後方フレーム１０の両側面には、サイドキャップ１６が圧入されている。サイドキャップ１６は、凹形状で形成され、凹部１６ａ（図８参照）を有している。また、後方フレーム１０の両端部のそれぞれには、例えば弾性部材からなる左側防振部材１７及び右側防振部材１９がサイドキャップ１６に隣接して設けられている。さらに、後方フレーム１０の中央付近には、例えば弾性部材からなる中央部防振部材１８が設けられている。なお、後方フレーム１０の両側面及び両端部は、左右対称で、構成部品等は同様であるので、以下、後方フレーム１０の左側を主に用いて説明する。
【００４３】
ここで、図１における誘導加熱調理器Ｃの右奥角部及び右カバー１２ａをＸ−Ｘで切った模式断面図を図６に示す。また、図７は、図１における誘導加熱調理器Ｃの模式左側面図であり、図８は、図５における後方フレーム１０を拡大した模式拡大図である。
【００４４】
図７又は図８に示すように、後方フレーム１０の側面には、上述したように、サイドキャップ１６が圧入されている。これにより、サイドキャップ１６の側面が、側方フレーム９の側面と略同一面になるように構成されている。また、後方フレーム１０の側面とサイドキャップ１６とが一体的に形成されていてもよい。
【００４５】
後方フレーム１０の端部には、図７又は図８に示すように、溝部１３に設けられて係止孔（図示せず）を用いて、左側防振部材１７が配置されている。ここで、左側防振部材１７は、略平面からなる前側載置部１７ａ、後側載置部１７ｂ及び中央部１７ｃを有し、左側防振部材１７の断面は、略凹形状で形成されている。つまり、前側載置部１７ａ及び後側載置部１７ｂのそれぞれの上面は同一高さで形成され、中央部１７ｃの上面は、前側載置部１７ａ及び後側載置部１７ｂのそれぞれの上面より低く形成されている。また、前側載置部１７ａ及び後側載置部１７ｂには、左カバー１２ｂが載置され、溝部１３に配置される。これにより、後方フレーム１０の上面は、左カバー１２ｂの上面と略同一面となる。その結果、天板４の上面、後方フレーム１０の上面及び左カバー１２ｂの上面が略同一面となるので、誘導加熱調理器Ｃの外観の美観を向上させることができる。
【００４６】
また、サイドキャップ１６の凹部１６ａの上面は、左側防振部材１７の中央部１７ｃの上面より低く形成されている。つまり、サイドキャップ１６の凹部１６ａの上面は、前側載置部１７ａ及び後側載置部１７ｂのそれぞれの上面より低く形成されている。
【００４７】
図７に示すように、左カバー１２ｂが後方フレーム１０の溝部１３に配置されると、左カバー１２ｂの下面とサイドキャップ１６の凹部１６ａの上面との間に間隙２０が形成される。これにより、左カバー１２ｂが溝部１３から取り外す場合に、間隙２０に指を挿入することで、容易に左カバー１２ｂを取り外すことができる。
【００４８】
また、図６に示すように、右カバー１２ａが溝部１３に配置されると、右カバー１２ａの下面と右側防振部材１９の前側載置部１９ａ及び後側載置部１９ｂのそれぞれの上面と接触する。右カバー１２ａの下面と右側防振部材１９の中央部１９ｃの上面との間には、間隙が形成される。このように、右カバー１２ａの角部が右側防振部材１９の前側載置部１９ａ及び後側載置部１９ｂのそれぞれと接触しているので、右カバー１２ａの下面の全体が接触する場合と比して、右カバー１２ａがガタつくのを防止することができる。なお、後方フレーム１０の左側も同様である。
【００４９】
また、中央部防振部材１８においても、略平面からなる前側載置部１８ａ、後側載置部１８ｂ及び中央部１８ｃを有し、中央部防振部材１８の断面は、略凹形状で形成されている。また、前側載置部１８ａ及び後側載置部１８ｂのそれぞれは、その中央付近に、側方フレーム９と略平行の突起部１８ｄ及び１８ｅのそれぞれを有している。
【００５０】
中央部防振部材１８においても、前側載置部１８ａ及び後側載置部１８ｂのそれぞれの上面は同一高さで形成され、中央部１８ｃの上面は、前側載置部１８ａ及び後側載置部１８ｂのそれぞれの上面より低く形成されている。
【００５１】
また、上述した左側防振部材１７と同様に、右カバー１２ａが溝部１３に配置されると、右カバー１２ａの下面と左側防振部材１７の前側載置部１７ａ及び後側載置部１７ｂのそれぞれの上面と接触する。左カバー１２ｂも同様である。
【００５２】
つまり、中央部防振部材１８の突起部１８ｄ及び１８ｅは、右カバー１２ａと左カバー１２ｂとの間に形成される（図示せず）ので、グリル排気口１４ａ及び排気口１４ｂの上方の空間と吸気口１５の上方の空間とを分離することができる。これにより、グリル排気口１４ａ及び排気口１４ｂから排気された煙や冷却風が吸気口１５から誘導加熱調理器Ｃの内部に流入することを防ぐことができる。
【００５３】
また、中央部防振部材１８の中央部１８ｃは、前側載置部１８ａ及び後側載置部１８ｂのそれぞれの上面より低く形成されているので、左カバー１２ｂのそれぞれの下面と中央部防振部材１８の中央部１８ｃの上面との間に間隙を形成することができる。これにより、左カバー１２ｂが溝部１３から取り外す場合に、間隙２０と同様に、この間隙に指を挿入することで、容易に左カバー１２ｂを取り外すことができる。
【００５４】
また、サイドキャップ１６は、左カバー１２ｂが上面操作部領域４ａから見て左右方向に誘導加熱調理器Ｃから外れないように突起部１６ｂを有している。この突起部１６ｂは、サイドキャップ１６の側面の一部を上方に延長して形成されている。これにより、左カバー１２ｂの左右方向の移動が規制され、溝部１３から外れるのを防止することができる。
【００５５】
このように構成された誘導加熱調理器Ｃは、外郭を構成する誘導加熱調理器Ｃ本体の上部に設けられ、略長方形に形成された天板４と、天板４の後方に設けられた後方フレーム１０と、後方フレーム１０において、天板４の長手方向に沿って形成され、少なくとも１つ設けられた開口部を有する帯状の溝部１３と、溝部１３の両端部において、凹形状に形成された凹部と、溝部１３に配置され、開口部を覆うカバーとを有するトッププレートユニット１１を備える構造が採用されているので、後方フレーム１０の溝部１３の両側面において、凹部の上面とカバーの下面との間に間隙を形成することができる。その結果、美観を保ちながら、容易にトッププレートユニット１１から取りはずことができる。
【００５６】
また、右カバー１２ａ及び左カバー１２ｂがその長手方向に対して直交する側方の端部が側方フレーム９の内側端部の延長線上またはその外側に位置するように防振部材に載置される構造が採用されているので、誘導加熱調理器Ｃの上方から見て前方フレーム、上面操作部領域４ａ、加熱領域４ｂ、右カバー１２ａ及び左カバー１２ｂ、後方フレーム１０に区切られ、それらの境界線が天板４の長手方向に対して直交する側方の端縁を結ぶ直線又はそれらに平行な直線で形成されるので、美観に優れたものとすることができる。
【００５７】
右カバー１２ａ及び左カバー１２ｂは、その断面が凸形状の突起部が右カバー１２ａ及び左カバー１２ｂの長手方向に対して平行に複数形成されている構造が採用されているので、天板４の長手方向への線が強調され、さらに美観に優れたものとすることができる。
【００５８】
上記において、本発明をある程度の詳細さをもって好適な形態について説明したが、この好適形態の現開示内容は構成の細部において変化してしかるべきものであり、各要素の組合せや順序の変化は請求された発明の範囲及び思想を逸脱することなく実現し得るものである。
【００５９】
なお、上記実施形態は誘導加熱調理器のもので説明したが、本発明は、これに限定されるものではなく、加熱源を上面に有しトッププレートを備えたものであればよく、加熱源としてガスやハロゲンなどの電気式のものに適宜適用することができる。
【産業上の利用可能性】
【００６０】
本発明に係る加熱調理器は、汚れや零れ落ちる煮汁等の吸気用及び排気用の開口部等の周辺への付着を防止してデザイン的に優れたものとすることができる効果を有し、家庭用又は業務用の誘導加熱調理器やガス調理器等のトッププレートを備えた加熱調理器に有用である。
【図面の簡単な説明】
【００６１】
【図１】本実施形態に係る誘導加熱調理器の外観斜視図
【図２】図１に示される上面操作部領域の右側上面操作部の模式断面図
【図３】本実施形態の変形例であるトッププレートユニット、右カバー及び左カバーの模式平面図
【図４】本実施形態の変形例であるトッププレートユニット、右カバー及び左カバーの別の模式平面図
【図５】本実施形態に係る誘導加熱調理器のトッププレートユニットの後方部分の外観分解図
【図６】図１における誘導加熱調理器の右奥角部及び右カバーをＸ−Ｘで切った模式断面図
【図７】図１における誘導加熱調理器の模式左側面図
【図８】図５における後方フレームを拡大した模式拡大図
【符号の説明】
【００６２】
１  本体ケース、２  出没式前面操作部、３  グリル扉、４  天板、
４ａ  上面操作部領域、４ｂ  加熱領域、５ａ、５ｂ、５ｃ  加熱部、
６ａ  右側上面操作部、６ｂ  左側上面操作部、７ａ  切／スタートキー、
７ｂ  メニューキー、７ｃ  加熱出力アップキー、７ｄ  加熱出力ダウンキー、
７ｅ  タイマーアップキー、７ｆ  タイマーダウンキー、７ｇ  メニュー表示部、
７ｈ  加熱出力表示部、８  前方フレーム、９  側方フレーム、１０  後方フレーム、
１１  トッププレートユニット、１２ａ  右カバー、１２ｂ  左カバー、１３  溝部、
１４ａ  グリル用排気口、１４ｂ  排気口、１５  吸気口、１６  サイドキャップ、
１６ａ  凹部、１６ｂ、１８ｄ、１８ｅ  突起部、１７  左側防振部材、
１８  中央部防振部材、１９  右側防振部材、１７ａ、１８ａ、１９ａ  前側載置部、
１７ｂ、１８ｂ、１９ｂ  後側載置部、１７ｃ、１８ｃ、１９ｃ  中央部、
２０  間隙、２１  図柄表示部、２２  導電膜、２３  発光部、２４  接点端子、
Ｃ  誘導加熱調理器
【図１】
0005027712.tif 000002
【図２】
0005027712.tif 000003
【図３】
0005027712.tif 000004
【図４】
0005027712.tif 000005
【図５】
0005027712.tif 000006
【図６】
0005027712.tif 000007
【図７】
0005027712.tif 000008
【図８】
0005027712.tif 000009